(57)【要約】【課題】食器カゴへの食器等のセットと取り出しを容易にして、食器のセット性を格段に向上させるとともに、扉体開閉時に上扉体より略円弧状の本体に水滴が滴下しても、シンクを清潔に保つとともに、製品の背面部に配設されている電源コード部への水滴付着を防止し安全性を向上させることを目的としている。【解決手段】本体１の上部形状を前面１ａから背面１ｂにかけて上方へ膨出する略円弧状に形成し、扉体５は、洗浄槽２の上面に設けられた開口部４を前記本体１上部の外側へ開く上扉体６と、前記洗浄槽２の前面に設けられた開口部４を下方へ開く下扉体７を備え、前記本体１の背面部に水受け部４０を備えたものであり、本体１上部の開口を大きくとることができるとともに、扉体５開閉時に上扉体６より略円弧状の本体１に水滴が滴下しても、本体１の背面部の水受け部４０によって受け止めることができる。【選択図】図１
2007282751.tif 000002
【特許請求の範囲】
【請求項１】
本体と、前記本体に設けた洗浄槽と、食器等の被洗浄物を収納し、前記洗浄槽に収容する食器カゴと、前記洗浄槽に設けた開口部を開閉する扉体とを備え、前記開口部は、前記本体の前面と上面に開口するとともに、前記本体の上部形状を前面から背面にかけて上方へ膨出する略円弧状に形成し、前記扉体は、前記洗浄槽の上面に設けられた開口部を前記本体上部の外側へ開く上扉体と、前記洗浄槽の前面に設けられた開口部を下方へ開く下扉体を備えるとともに、前記本体の背面外側に水受け部を備えた食器洗い機。
【請求項２】
水受け部に穴を設け、溜まった水を洗浄槽内あるいは排水口に流れる構成とした請求項１に記載の食器洗い機。
【請求項３】
水受け部の底面部に勾配をつけ、少なくとも１箇所に水が集まるように構成した請求項１または２に記載の食器洗い機。
【請求項４】
水受け部の穴に向かって底面部に勾配を設けた請求項２に記載の食器洗い機。
【発明の詳細な説明】
【技術分野】
【０００１】
本発明は、洗浄水の噴射により食器等の洗浄を行う食器洗い機に関する。
【背景技術】
【０００２】
従来、この種の食器洗い機は、図１０に示すように構成していた。以下、その構成について説明する。
【０００３】
食器カゴへの食器等のセットと取り出しを容易にするために、本体１０１に設けられた開口部１０２は、本体１０１の前面にその上部が後方へ傾斜するように設けられている。前記開口部１０２を開閉する扉体は、前記本体１０１上部の外側へ開く上扉体１０３と、前記開口部１０２を下方へ開く下扉体１０４で構成されている。前記本体１０１内には、食器等をセットする食器カゴ１０５が、開かれた前記開口部１０２から本体１０１の前方に引き出し可能に収容されている（例えば、特許文献１参照）。
【特許文献１】特開２００２−２１９０８３号公報
【発明の開示】
【発明が解決しようとする課題】
【０００４】
従来の食器洗い機は、本体１０１上部の開口がほとんどないため、扉の開成時に上扉体１０３が開口部１０２を少しでも覆わないよう突出量を少なくするように構成していた。扉の開成時に上扉体１０３の突出量を少なくすることは、すなわち下扉体１０４が長くなることであり、扉の開口時の下扉体１０４の本体前方への飛び出し量は多くなる。そして、台所のシンクサイドに食器洗い機を設置する場合、本体１０１は置けるが、扉の開成時に下扉体１０４が水道栓に接触するため食器カゴ１０５を引き出しづらくなり、食器のセット性を著しく損なうという課題があった。また逆に、上扉体１０３の長さを長くする場合、扉を開いた時に開口部１０２の上端部を上扉体１０３が覆うために、特に上段カゴへの食器のセットと取り出しが行い難くなるという課題に加え、洗浄途中などの扉体の開閉動作により上扉体１０３より略円弧状の本体に水滴が落下し、そのまま本体をつたって流れ、電源コードに水滴が付着したり、シンク６０に水が滴下しまうという課題があった。
【０００５】
本発明は、上記従来の課題を解決するもので、食器カゴへの食器等のセットと取り出しを容易にして、食器のセット性を格段に向上させるとともに、扉体開閉時に上扉体より略円弧状の本体に水滴が滴下しても、シンクを清潔に保つとともに、製品の背面部に配設されている電源コード部への水滴付着を防止し安全性を向上させることを目的としている。
【課題を解決するための手段】
【０００６】
上記の目的を達成するために、本発明の食器洗い機は、本体の上部形状を前面から背面にかけて上方へ膨出する略円弧状に形成し、扉体は、洗浄槽の上面に設けられた開口部を前記本体上部の外側へ開く上扉体と、前記洗浄槽の前面に設けられた開口部を下方へ開く下扉体を備え、前記本体の背面外側に水受け部を備えたものであり、本体上部の開口を大きくとることができ、本体上部からの食器カゴへの食器等のセットと取り出しを容易にすることができるとともに、扉体開閉時に上扉体より略円弧状の本体に水滴が滴下しても、本体の背面部の水受け部によって受け止められるため、シンクを清潔に保つとともに、製品の背面部に配設されている電源コード部への水滴付着を防止し安全性を向上させることができる。
【発明の効果】
【０００７】
本発明の食器洗い機は、食器カゴへの食器等のセットと取り出しを容易にすることができるとともに扉体開閉時に上扉体より略円弧状の本体に水滴が滴下しても、本体の背面部の水受け部によって受け止められるため、シンクを清潔に保つとともに、製品の背面部に配設されている電源コード部への水滴付着を防止し安全性を向上させることができる。
【発明を実施するための最良の形態】
【０００８】
第１の発明は、本体と、前記本体に設けた洗浄槽と、食器等の被洗浄物を収納し、前記洗浄槽に収容する食器カゴと、前記洗浄槽に設けた開口部を開閉する扉体とを備え、前記開口部は、前記本体の前面と上面に開口するとともに、前記本体の上部形状を前面から背面にかけて上方へ膨出する略円弧状に形成し、前記洗浄槽は、前記本体の上面に設けられた開口部を前記本体上部の外側へ開く上扉体と、前記洗浄槽の前面に設けられた開口部を下方へ開く下扉体を備えるとともに、前記本体の背面外側に水受け部を備えたものであり、本体上部の開口を大きくとることができ、本体上部からの食器カゴへの食器等のセットと取り出しを容易にすることができるとともに、扉体開閉時に上扉体より略円弧状の本体に水滴が滴下しても、本体の背面部の水受け部によって受け止められるため、シンクを清潔に保つとともに、製品の背面部に配設されている電源コード部への水滴付着を防止し安全性を向上させることができる。
【０００９】
第２の発明は、第１の発明において、水受け部に穴を設け、溜まった水を洗浄槽内あるいは排水口に流れる構成としたものであり、洗浄中に何回も開閉動作を繰り返し行った場合においても、本体に流れ落ちた水は、本体背面部の水受け部で受け取られ、洗浄槽内や排水口に流れるようにしているため、水受け部から水が溢れ出すことがなく安全性を向上させることができるともに、水受け部に水が溜まった状態のままにならないため、食器洗い機を清潔に保つことができる。
【００１０】
第３の発明は、第１または第２の発明において、水受け部の底面部に勾配をつけ、少なくとも１箇所に水が集まるように構成したものであり、水受け部に流れ込んだ水滴は、底面部の勾配により集められるため手入れがしやすくなる。
【００１１】
第４の発明は、第２の発明において、水受け部の穴に向かって底面部に勾配を設けたものであり、洗浄中に扉体の開閉動作を幾度が繰り返した場合においても、水受け部に流れ込んだ水滴は効率よく洗浄槽や排水口に排出することができるため、水受け部から溢れる事がなく安全性を向上させることができるとともに、勾配を設けることにより水滴が残水したりすることがないため食器洗い機を清潔に保つことができる。
【００１２】
以下、本発明の実施の形態について、図面を参照しながら説明する。なお、本実施の形態によって本発明が限定されるものではない。
【００１３】
（実施の形態１）
図１に示すように、１は食器洗い機の本体であり、この本体１を外側方から見たときの上部の外郭形状は、前面１ａから背面１ｂにかけて上方へ膨出する略円弧状に形成した円弧状部１ｃを有している。また、前面形状は略平面で形成した平面部１ｄを有している。
【００１４】
２は食器等の被洗浄物を収納する食器カゴ３を収容する洗浄槽で本体１に内装されている。洗浄槽２の上部形状は、本体１上部の円弧状部１ｃの内面に沿うように上面から背面にかけて上方へ膨出する略円弧状に形成し、洗浄槽２には、洗浄槽２を前面から上面にかけて開口する開口部４を設けるとともに、この開口部４を閉塞する開閉自在な扉体５を備えている。
【００１５】
扉体５は、開口部４の洗浄槽２の上面に設けられた部分を本体１上部の外側へ開く上扉体６と、前記開口部４の洗浄槽２の上面に設けられた部分を下方へ開く下扉体７で構成されており、上扉体６は洗浄槽２の内部を視認するための半透明な窓８を備えている。上扉体６の縦断面形状は、本体１の上面形状と同じく外方へ膨出する略円弧状に形成しており、本体１上部の円弧状部１ｃの外郭に沿うように移動して開口部４を開閉する。
【００１６】
食器カゴ３は、上段カゴ９と下段カゴ１０の上下二段で構成されており、上段カゴ９は、下段カゴ１０と構成部材を共用している。そして、食器カゴ３は、側面に摺動部１１を設けるとともに、洗浄槽２の内側面に設けた支持部１２に対して前後方向に摺動可能に支持されており、下扉体７を開いた時に下扉体７上に引き出し可能である。１３は、洗浄ポンプ１４により加圧した洗浄水を食器に向けて噴射する洗浄ノズルである。洗浄槽２の下部には、洗浄水を加熱するヒータ１５を配置している。１６は洗浄槽２の下部に設けられた制御装置であり、洗浄ポンプ１４やヒータ１５等を制御する。
【００１７】
また、図２〜図４に示すように、開口部４は、本体１の前面１ａと、前面１ａから上面にかけて外方へ膨らむように設けた円弧状部１ｃを含むように形成されており、開口部４の上端部３９は、本体１の前面から上方へ膨出する略円弧状の本体１上面の頂部１７まで開口する構成としており、本体１の上部面積の前面１ａ側の略半分が開口している（図４に示す線分Ｃは、頂部１７を通る鉛直線で、開口部４の上端部３９はその近傍に位置する）。洗浄槽２の前面から上面にかけて設けられた開口部４を覆う上扉体６と下扉体７の係合部１８は、本体１の前面に形成した平面部１ｄに設けており、上扉体６側に設けたシール部材２１と、下扉体７側に設けたシール受け部２２によって、上扉体６と下扉体７を水密にシールする構成を有する。
【００１８】
上扉体６および下扉体７にはそれぞれ上扉体支持部２３、下扉体支持部２４が具備されており、洗浄槽２の側面に設けられた上扉体回動軸２５、下扉体回動軸２６により回動自在に軸支されている。上扉体支持部２３上には移動軸２７が設けられるとともに、洗浄槽２の側面には移動軸２７が移動する移動溝２８が設けられており、移動軸２７は移動溝２８に対して回動自在に移動する。上扉体６と下扉体７は第１の連動部材２９と第２の連動部材３０によって連結され、下扉体７の下方への回動に連動して上扉体６も上方へ回動する構成としている。
【００１９】
第１の連動部材２９の一端は下扉体７に固定され、他端は連動部材間回動軸３１を設け、第２の連動部材３０の一端に設けられた連動部材間回動穴３２との間で回動自在に軸支されている。第２の連動部材３０の他端に設けられた上扉体連動穴３３は、上扉体支持部２３に設けられた上扉体連動回動軸３４との間で回動自在に軸支されている。開口部４を開いた時の扉体５の位置規制を行うために、第２の連動部材３０にストッパー部３５を設け、このストッパー部３５が当接するストッパー受け部３６を本体１の側面に設けている。
【００２０】
上扉体支持部２３は、その本体１から突出する部分が、上扉体６を閉じたときに上扉体６の側面に設けられたカバー（収納部）３７により覆われて収納されるように構成している。上扉体支持部２３、第１の連動部材２９、第２の連動部材３０、移動溝２８など、扉体５を支持し回動させる機構部品は、本体１の側部の両側に設けられており本体側面ボディ３８により覆われるものである。また、上扉体支持部２３は、扉体５の開口動作終了時に本体１の上方へ膨出する円弧状部１ｃと交差する位置（図３に示す点Ｄ）が、開口部４の上端部３９より後方になるように構成している。
【００２１】
上扉体６および下扉体７は、連動構成を有するため、下扉体回動軸２６を中心に下扉体７を図３の矢印イ方向へ下方に回動操作することにより、上扉体６もこれに連動して矢印ロ方向へ回動し開口部４が開かれる。また、開口部４を開いた時、上扉体６は上扉体回動軸２５を中心に本体の上方後方へ移動するが、移動終了時点では上扉体支持部２３が開口部４の上端部３９より後方まで移動した時点でストッパー部３５がストッパー受け部３６に当接して上扉体６および下扉体７は停止し、それ以上移動することはない完全開放状態となる。
【００２２】
また、図５に示すように、本体１の背面部の外側には、扉体５開閉時に上扉体６より略円弧状の本体１の外面に水滴４１が滴下しても受け止められるように、水受け部４０を備えている。
【００２３】
次に、上記実施の形態における動作、作用について説明する。食器洗い機を設置する場合、キッチンの側壁に沿って食器洗い機の正面を手前に向けて置く場合と、側面を手前に向けて置く場合がある。最近のキッチンは、浴槽や給湯器などの給湯設備を集中的に制御するコントローラをキッチンの側壁に設置しているのが一般的である。食器洗い機をキッチンに設置する場合、食器洗い機の本体１の高さより高い位置にコントローラが設置されている場合は問題ないが、コントローラが少し低く設置されている場合は、コントローラに設けられた表示部の視認性やスイッチ類の操作性を確保するために、食器洗い機を壁面から離して設置しなければならず、キッチンでの作業性を損なう。そして、コントローラがさらに低く設置されている場合は、食器洗い機を設置することができない。
【００２４】
しかしながら、本発明の構成によれば、本体１の上部形状を前面から背面にかけて上方へ膨出する略円弧状に形成しているため、コントローラが低く設置されている場合でも、コントローラに接触することなく本体１を壁面に近づけて設置できる。また、使用者は上方から本体１越しにコントローラを視認することができるため、表示部の視認性が得られるとともに、スイッチ類の操作性も確保される。
【００２５】
このように本発明によれば、浴槽や給湯器などのコントローラを既設したキッチンにおいて、コントローラの視認性および操作性を確保し、設置性を高めることができる。
【００２６】
また、本体１の上部形状および上扉体６の上部形状を上方へ膨出する略円弧状に形成し、上扉体６を本体１上部の円弧状部１ｃに沿うように移動して洗浄槽２の前面から上面にかけて設けられた開口部４を開閉する構成としたため、開口部４を開いた時の本体１の高さを低く抑えることができ、吊戸棚等が既設しているなど、設置空間の高さが低い場所への設置を容易することができる。
【００２７】
また、従来の食器洗い機では、洗浄槽２の背面から上面にかけての本体の側方から見た形状が略直角になっていたので、洗浄時に洗浄槽２内部の背面から上面へ向けて流れる洗浄水が上面に届きにくく、上面から食器に降り注ぐ洗浄水が少ないため、食器の表面に付着した汚れの洗浄性能が低いが、本発明の構成によれば、洗浄槽２上面への洗浄水量が増加するため、上面から食器に降り注ぐ洗浄水が多くなり、食器の表面に付着した汚れを確実に洗い流すことができる。
【００２８】
また、開口部４は、本体１の前面１ａと、前面１ａから上面にかけて外方へ膨らむように設けた円弧状部１ｃを含むように形成したことにより、食器カゴ３への食器等のセットと取り出しを容易にして食器のセット性が向上するとともに、浴槽や給湯器等のコントローラを既設したキッチンへの設置が容易になる。
【００２９】
また、洗浄槽２の上面に設けられた開口部４の上端部３９を、上方へ膨出する円弧状部１ｃの頂部１７の近傍に位置するように形成したことにより、本体１の上部面積の略半分を開口させる構成とすることができる。このため、上段カゴ９の奥までの視野が広がるとともに、食器の出し入れを容易に行うことができる。特に、皿類５０の重心と上方へ膨出する円弧状部１ｃの中心の本体１前面からの距離をほぼ等しくなるように食器カゴ３を構成しているため、大皿等は洗浄槽２の開口部４の縁に接触することなく容易に出し入れできる。
【００３０】
このように本発明によれば、本体１上面の前面側の略半分までを開口することで、食器カゴ３への食器等のセットと取り出しを容易にすることができ、食器のセット性を向上させることができる。
【００３１】
また、開口部４は本体１の前面と上面を開放する構成のため、この開口部４を覆う扉体５は、同程度の本体寸法の従来の食器洗い機より上下方向に長くなる。このため、一枚扉で上開き構成の場合は、扉が邪魔になり食器の取り出しができない。また、下開き構成の場合は、正面置きであれば扉が本体から手前に開かれて、キッチンカウンタ上の調理スペースがなくなり、縦置きであれば、水道栓に扉が当たって扉を完全に開口することができなくなる。
【００３２】
しかしながら、本発明の構成によれば、扉体５を上扉体６と下扉体７の二枚扉で構成しており、洗浄槽２の前面から上面にかけて設けられた開口部４の平面部１ｄに扉体５の分割位置を設けて係合部１８を構成することにより、開口部４を開いた時の下扉体７の本体１前方への突出量を少なくして本体１設置時の本体１前方の設置奥行き寸法を小さくすることができ、水道栓などが本体１の近傍に存在する場合でも、本体の設置性を向上させることができる。
【００３３】
また、上扉体支持部２３は、扉体５の開口動作終了時に本体１の上方へ膨出する円弧状部１ｃと交差する位置（図３の点Ｄ）が、開口部４の上端部３９より後方になるように構成している。狭い台所のシンクサイドに食器洗い機を設置する場合、洗浄槽２の開口部４を使用者の対面に置く正面置きよりも、図３に示すように台所の右あるいは左のシンクサイドに縦置き設置される場合の方が多い。この縦置き設置の場合、扉体５を開いて食器を出し入れするときは、開口部４の斜め前方から行うが、本発明の上扉体支持部２３は、上扉体６を閉じたときにカバー３７内に収容されるように上方へ膨出する略円弧形状に形成されており、上扉体６を開いたときは、上扉体支持部２３が上方へ膨出する円弧状部１ｃと交差する位置より後方へと変位し、上扉体支持部２３が開口部４を妨げない構成のため、視界を遮られることがなく、食器のセット性を向上させることができる。
【００３４】
また、上扉体６に上扉体支持部２３を収納するカバー３７を設け、扉体５を閉じた時に上扉体支持部２３の本体１から突出する部分をカバー３７に収納可能に構成しているため、上扉体支持部２３と上扉体連動回動軸３４が本体外に露出しないので、埃やごみ等の異物が上扉体回動軸２５にかみこんだり、堆積することを防ぐことができ、扉体５を円滑に開閉することができる。
【００３５】
また、移動軸２７と移動溝２８も本体側面ボディ３８によって本体外に露出しない構成としているので、埃やごみ等の異物が移動軸２７と移動溝２８内に入り込むのを防ぐことができる。
【００３６】
また、下扉体７の回動に連動して上扉体６も回動する構成のため、扉体５の操作性および使い勝手を向上させることができる。
【００３７】
また、本体１の背面部に水受け部４０を備えているため、扉体５開閉時に上扉体６の主に内面より略円弧状の本体１の外面に水滴４１が滴下しても、本体１の背面部の水受け部４０によって受け止められるため、水滴４１がシンク６０に垂れることがないため清潔に保つことができるとともに、製品の背面部に配設されている電源コード部（図示せず）への水滴４１付着を防止し安全性を向上させることができる。
【００３８】
（実施の形態２）
本実施の形態では、図６に示すように、本体１の背面部に設けられた水受け部４０に底面の一部に洗浄槽２に通じる管４５を設け、管４５が洗浄槽２に達する部分に弁４２を配設し、本体１背面部の水受け部４０に溜まった水４１を洗浄槽２内に流して戻すように構成している。他の構成は上記実施の形態１と同じである。
【００３９】
上記構成によると、洗浄中に何回も開閉動作を繰り返し行った場合においても、本体１の外面に流れ落ちた水４１は、本体１背面部の水受け部４０で受け取られ、洗浄槽２内に戻すようにしているため、本体１背面部の水受け部４０から水４１が溢れ出すことがなく、製品の安全性を向上させることができる。また、上記のような循環構成をとっているため、扉体５の開閉により本体１背面部の水受け部４０に溜まった水４１は、洗浄槽２に戻るようになっており、水受け部４０に水が溜まった状態にならないため、食器洗い機を清潔に保つことができる。
【００４０】
また、図７に示すように、本体１背面部の水受け部４０に管４６を形成し、ホース４７を接続して排水口に水を排水するようにしても上記同様の効果を得ることができる。
【００４１】
（実施の形態３）
本実施の形態では、図８に示すように、本体１背面部に設けられた水受け部４０の底面部４３の内面に勾配をつけ、流れ込んだ水滴４１を底面部４３の本体１幅方向の中心部に集まるように構成している。上扉体６の動作については上記実施の形態１と同じである。
【００４２】
上記構成によると、扉体５の開閉動作により本体１背面部の水受け部４０に流れ込んだ水滴４１は、底面部４３内面の勾配により一箇所に集められるため手入れがしやすく、製品を清潔に保つことができる。
【００４３】
本実施の形態では、水滴４１がすべて中心部の一箇所に集まるように構成しているが、底面部４３の内面の勾配を工夫し、複数箇所に分けて集めるように構成しても同様の効果が得られる。
【００４４】
（実施の形態４）
本実施の形態では、図９に示すように、本体１背面部の水受け部４０に設けた管４５、４６に向かって、底面部４３に勾配を設けるように構成している。管４５あるいは４６に関連する構成は、上記実施の形態２と同様である（図６および図７参照）。また、上扉体６の動作については上記実施の形態１と同じである。
【００４５】
上記構成によると、洗浄中に扉体５の開閉動作を幾度が繰り返した場合においても、本体１平面部の水受け部４０に流れ込んだ水滴４１は、底面部４３の勾配により管４５あるいは４６に効率よく集めることができ、洗浄槽２や排水口に排出することができるため、水受け部から溢れる事がなく安全性を向上させることができる。また勾配を設けることにより、本体１背面部の水受け部４０に水滴４１が残水したりすることがないため食器洗い機を清潔に保つことができる。
【産業上の利用可能性】
【００４６】
以上のように、本発明の食器洗い機は、食器カゴへの食器等のセットと取り出しを容易にすることができるとともに扉体開閉時に上扉体より略円弧状の本体の外郭に水滴が滴下しても、本体の背面部の水受け部によって受け止められるため、シンクを清潔に保つとともに、製品の背面部に配設されている電源コード部への水滴付着を防止し安全性を向上させた食器洗い機として有用である。
【図面の簡単な説明】
【００４７】
【図１】本発明の実施の形態１における食器洗い機の側断面図
【図２】同食器洗い機の扉体の開閉構成を示す部分側断面図
【図３】同食器洗い機をキッチンに縦置き設置し、開口部を開いた時の側断面図
【図４】同食器洗い機の開口部を閉じた時の部分側断面図
【図５】（ａ）同食器洗い機の扉体閉時の上扉体と本体背面外側に設けた水受け部との位置関係を示す要部断面図（ｂ）同食器洗い機の扉体開時の上扉体と本体背面の水受け部との位置関係を示す要部断面図
【図６】本発明の実施の形態２における食器洗い機の本体背面の水受け部の拡大断面図
【図７】同食器洗い機の本体背面の水受け部の他の構造を示す拡大断面図
【図８】本発明の実施の形態３における食器洗い機の本体の背面図
【図９】本発明の実施の形態４における食器洗い機の本体の背面図
【図１０】従来の食器洗い機の側断面図
【符号の説明】
【００４８】
１    本体
１ａ  前面
１ｂ  背面
１ｃ  円弧状部
２    洗浄槽
３    食器カゴ
４    開口部
５    扉体
６    上扉体
７    下扉体
１７  頂部
１８  係合部
２３  上扉体支持部
３７  カバー（収納部）
３９  上端部
４０  水受け部
４１  水滴
４３  底面部
４５、４６  管
【図１】
2007282751.tif 000003
【図２】
2007282751.tif 000004
【図３】
2007282751.tif 000005
【図４】
2007282751.tif 000006
【図５】
2007282751.tif 000007
【図６】
2007282751.tif 000008
【図７】
2007282751.tif 000009
【図８】
2007282751.tif 000010
【図９】
2007282751.tif 000011
【図１０】
2007282751.tif 000012